(57)【要約】  【解決手段】  ヘッド本体、フェース板、連接部およびネックにより構成される。ヘッド本体、フェース板、連接部およびネックは金属により製成され、フェース板は打球するのに用いられることができ、連接部はフェース板とネックの間に形成される。ネックにはシャフトと結合するための結合孔が設けられる。さらに連接部にはホールが設けられるように構成されている。  【効果】  連接部に設けられたホールにより連接部が占める重量を減らすことができ、さらにヘッドの重心をトウ部へ移動させることができるため、ゴルフクラブの慣性モーメントを増やすことができる。【選択図】    図１
2005103162.tif 000002
【特許請求の範囲】
【請求項１】
ヘッド本体（１０）、ネック（１３）および連接部（１２）により構成されるゴルフクラブヘッドの構造であって、ヘッド本体（１０）の正面にはフェース板結合部（１０１）が設けられ、ネック（１３）はヘッド本体（１０）の一方に設けられ、ネック（１３）によりシャフトと結合することができ、連接部（１２）はフェース板結合部（１０１）とネック（１３）の間に形成され、連接部（１２）にはホール（１２１）が設けられ、ホール（１２１）により連接部（１２）が占める重量を減らすことができ、ヘッド（１）の重心（１４）をトウ部へ移動させることにより、ゴルフクラブの慣性モーメントを増やすことができることを特徴とするゴルフクラブヘッドの構造。
【請求項２】
連接部（１２）のホール（１２１）はスルーホールであることを特徴とする請求項１記載のゴルフクラブヘッドの構造。
【請求項３】
連接部（１２）のホール（１２１）はブラインドホールで、上記ブラインドホールの開口部はヘッド（１）の正面に設けられることを特徴とする請求項１記載のゴルフクラブヘッドの構造。
【請求項４】
連接部（１２）のホール（１２１）はブラインドホールで、上記ブラインドホールの開口部はヘッド（１）の背面に設けられることを特徴とする請求項１記載のゴルフクラブヘッドの構造。
【請求項５】
連接部（１２）のホール（１２１）は上が広く下が狭いような段々と収縮した形状に形成されることにより、ヘッド（１）の上半部が占める重量を相対的に減らし、さらにヘッド（１）の重心（１４）を下へ移動させることができることを特徴とする請求項１記載のゴルフクラブヘッドの構造。
【請求項６】
ホール（１２１）には他に軽質材料が充填されることにより、連接部（１２）の構造の強度を強化し、さらに打球時の振動を吸収することができることを特徴とする請求項１記載のゴルフクラブヘッドの構造。
【請求項７】
連接部（１２）には他に小径部（１２２）が形成されることを特徴とする請求項１記載のゴルフクラブヘッドの構造。
【請求項８】
他に被覆層（２０）が含まれ、被覆層（２０）は軽質材料により製成され、被覆層（２０）は連接部（１２）の小径部（１２２）に被覆され、さらにホール（１２１）に充填されることにより、連接部（１２）の構造の強度を強化することができると共に、打球時の振動を吸収することができることを特徴とする請求項７記載のゴルフクラブヘッドの構造。
【請求項９】
上記軽質材料はカーボン、樹脂、ゴム、高分子化合材料、チタン合金、アルミ合金、軽質合金から選ぶことができることを特徴とする請求項６または８記載のゴルフクラブヘッドの構造。
【請求項１０】
被覆層（２０）はホットプレス、射出成形の方式により小径部（１２２）に被覆されることを特徴とする請求項８記載のゴルフクラブヘッドの構造。
【請求項１１】
連接部（１２）の小径部（１２２）はヘッド（１）のネック（１３）に向かって延伸するように形成され、小径部（１２２）を拡大させることにより、ヘッド（１）の上半部が占める重量を減らし、さらにヘッド（１）の重心（１４）を相対的に下へ移動させることができることを特徴とする請求項７記載のゴルフクラブヘッドの構造。
【請求項１２】
ネック（１３）の上端の小径部（１２２）には他に半径方向で外へ延伸して環状フランジ（１３４）が形成され、さらにネック（１３）には他に結合孔（１３１）が設けられ、環状フランジ（１３４）により結合孔（１３１）とシャフトとの結合の安定性を増やすことができることを特徴とする請求項１１記載のゴルフクラブヘッドの構造。
【請求項１３】
ネック（１３）の小径部（１２２）の表面には他に複数個の突出部（１３２）が突き出るように設けられ、突出部（１３２）により小径部（１２２）が被覆層（２０）を被覆する結合の安定性を増やすことができることを特徴とする請求項１１記載のゴルフクラブヘッドの構造。
【請求項１４】
ネック（１３）の小径部（１２２）の表面には他に複数個の凹欠部（１３３）が凹むように設けられ、凹欠部（１３３）により小径部（１２２）が被覆層（２０）を被覆する結合の安定性を増やすことができることを特徴とする請求項１１記載のゴルフクラブヘッドの構造。
【請求項１５】
連接部（１２）とネック（１３）は精密鋳造、鋳造、機械加工、圧力鋳造、鍛造、射出成形、分段接合などの方式によりヘッド本体（１０）の片側に形成されることを特徴とする請求項１記載のゴルフクラブヘッドの構造。
【請求項１６】
フェース板結合部（１０１）はフェース板（１１）と結合することができ、フェース板（１１）により打球することができることを特徴とする請求項１記載のゴルフクラブヘッドの構造。
【発明の詳細な説明】
【技術分野】
【０００１】
本発明は、ゴルフクラブヘッドの構造に関するもので、特に連接部の重量を減らすことにより、重心を調整し、慣性モーメントを増やし、打球の性能を高め、さらに振動を吸収することができるゴルフクラブヘッドの構造に係るものである。
【背景技術】
【０００２】
従来のゴルフクラブヘッドの構造としては、図１１に示すように、金属材質からなるヘッド１が製成され、ヘッド１にはヘッド本体１０が含まれ、ヘッド本体１０にはフェース板１１、連接部１２とネック１３が設けられ、フェース板１１は打球するのに用いられ、連接部１２はフェース板１１とネック１３を連接することができ、ネック１２はシャフト（図示せず）と結合するのに用いられるようにとしたものがある。
【０００３】
また、従来のゴルフクラブヘッドの構造としては、図１２に示すように、ネック１３とヘッド本体１０の間の連接部１２（heel）の下方には凹欠部１２０が形成されるため、ネック１３側の重量を相対的に減らすことができる。そしてヘッド１の重心１４はヘッド１のトウ部（toe）へ移動し（すなわち、連接部１２に対して外への移動）、さらにフェース板１１の打球ゾーンに位置するように形成される。それによりヘッド１の慣性モーメントを相対的に増やすことができるため、打球の性能（打球の飛距離）を増やすことができるようにとしたものがある（例えば、特許文献１を参照）。
【特許文献１】アメリカ特許番号第４，９９５，６０９号
【発明の開示】
【発明が解決しようとする課題】
【０００４】
上記のような従来のゴルフクラブヘッドの構造においては、連接部１２とネック１３が占める重量が大き過ぎるため、ヘッド１の重心１４は連接部１２に近過ぎることにより、フェース板１１の主な打球ゾーンから離れてしまう。その結果、ヘッド１の慣性モーメントは減らされ、さらにヘッド１から球体までの打球応力の移転の効率も減らされるため、ヘッド１の打球の性能に大きな影響を及ぼしてしまうという問題点があった。
【０００５】
また、上記のような従来のゴルフクラブヘッドの構造においては、ヘッド１に凹欠部１２０が設けられて重心１４が外への移動に役立つことができるが、凹欠部１２０により連接部１２の構造の強度が低くなり易くなる。さらに、凹欠部１２０は連接部１２の下方に形成されるため、ヘッド１の下半部の重量を減らしてしまうため、ヘッド１の重心１４が外へ移動すると同時に、上へ移動してしまうため、フェース板１１の主な打球ゾーンに対して重心１４が高くなる。その結果、ヘッド１に凹欠部１２０を設置することにより打球の性能と慣性モーメントの増加に実質に改善することができないだけではなく、反対にヘッド１が断裂したり湾曲して変形してしまうという問題点があった。このように、上記のような従来のゴルフクラブヘッドの構造をさらに改良しなければならない。
【０００６】
本発明はこのような問題点に鑑みて発明したものであって、その目的とするところは、ヘッドの連接部にホールを形成させ、連接部のホールにより連接部の上、下半部が占める重量を均一に減らすことができるため、ヘッドの重心をトウ部へ移動させることにより、慣性モーメントを増やすと同時に、連接部とホールには他に軽質材料からなる被覆層を被覆することができることにより、構造の強度を強化すると共に、打球の振動を吸収することができるため、ヘッドの構造の強度に影響を及ぼさない状態でヘッドの慣性モーメント、打球の性能と振動の吸収性をさらに増やすことができるゴルフクラブヘッドの構造を提供しようとするものである。
【０００７】
本発明の第一の目的は、ヘッドの連接部にホールを形成させ、ホールにより連接部が占める重量を軽く減らし、さらにヘッドの重心をトウ部へ移動させることにより、ヘッドの慣性モーメントと打球の性能を高めることができるゴルフクラブヘッドの構造を提供しようとするものである。
【０００８】
本発明の第二の目的は、ヘッドの連接部にホールを形成させ、連接部とホールは軽質材料からなる被覆層を被覆することにより、振動の吸収性を高めることができると共に、構造の強度を高めることができるゴルフクラブヘッドの構造を提供しようとするものである。
【０００９】
本発明の第三の目的は、ヘッドの連接部に小径部を形成させ、小径部は重心の需要性に応じてネックに向かって延伸する長さを調整することができることにより、ヘッドの上半部の重量を減らし、さらにヘッドの重心を下へ移動させることができるため、重心の調整の自由度を増やすことができるゴルフクラブヘッドの構造を提供しようとするものである。
【００１０】
本発明の第四の目的は、ヘッドの連接部にホールを形成させ、ホールの規格を調整することにより、ヘッドの上半部が占める重量を調整し、さらにヘッドの重心を下へ移動させることができるため、ヘッドの慣性モーメントと打球の性能を高めることができるゴルフクラブヘッドの構造を提供しようとするものである。
【課題を解決するための手段】
【００１１】
上記目的を達成するために、本発明によるゴルフクラブヘッドの構造は、下記のようになるものである。すなわち、
ヘッド本体、ネックおよび連接部により構成される。ヘッド本体の正面にはフェース板結合部が設けられる。ネックはヘッド本体の一方に設けられ、ネックによりシャフトと結合することができる。連接部はフェース板結合部とネックの間に形成され、連接部にはホールが設けられ、ホールにより連接部が占める重量を減らすことができ、ヘッドの重心をトウ部へ移動させることにより、ゴルフクラブの慣性モーメントを増やすことができる。
【００１２】
本発明によるゴルフクラブヘッドの構造は、連接部のホールはスルーホールであることもできる。また、連接部のホールはブラインドホールで、上記ブラインドホールの開口部はヘッドの正面に設けられることもできる。また、連接部のホールはブラインドホールで、上記ブラインドホールの開口部はヘッドの背面に設けられることもできる。また、連接部のホールは上が広く下が狭いような段々と収縮した形状に形成されることにより、ヘッドの上半部が占める重量を相対的に減らし、さらにヘッドの重心を下へ移動させることもできる。また、ホールには他に軽質材料が充填されることにより、連接部の構造の強度を強化し、さらに打球時の振動を吸収することもできる。また、連接部には他に小径部が形成されることもできる。
【００１３】
さらに、本発明によるゴルフクラブヘッドの構造は、他に被覆層が含まれ、被覆層は軽質材料により製成され、被覆層は連接部の小径部に被覆され、さらにホールに充填されることにより、連接部の構造の強度を強化することができると共に、打球時の振動を吸収することもできる。また、上記軽質材料はカーボン、樹脂、ゴム、高分子化合材料、チタン合金、アルミ合金、軽質合金から選ぶこともできる。また、被覆層はホットプレス、射出成形の方式により小径部に被覆されることもできる。また、連接部の小径部はヘッドのネックに向かって延伸するように形成され、小径部を拡大させることにより、ヘッドの上半部が占める重量を減らし、さらにヘッドの重心を相対的に下へ移動させることもできる。また、ネックの上端の小径部には他に半径方向で外へ延伸して環状フランジが形成され、さらにネックには他に結合孔が設けられ、環状フランジにより結合孔とシャフトとの結合の安定性を増やすこともできる。また、ネックの小径部の表面には他に複数個の突出部が突き出るように設けられ、突出部により小径部が被覆層を被覆する結合の安定性を増やすこともできる。また、ネックの小径部の表面には他に複数個の凹欠部が凹むように設けられ、凹欠部により小径部が被覆層を被覆する結合の安定性を増やすこともできる。また、連接部とネックは精密鋳造、鋳造、機械加工、圧力鋳造、鍛造、射出成形、分段接合などの方式によりヘッド本体の片側に形成されることもできる。また、フェース板結合部はフェース板と結合することができ、フェース板により打球することもできる。
【発明の効果】
【００１４】
本発明のゴルフクラブヘッドの構造によれば、ヘッドの連接部にホールを形成させ、ホールにより連接部が占める重量を軽く減らし、さらにヘッドの重心をトウ部へ移動させることにより、ヘッドの慣性モーメントと打球の性能を高めることができるという利点がある。
【００１５】
本発明のゴルフクラブヘッドの構造によれば、ヘッドの連接部にホールを形成させ、連接部とホールは軽質材料からなる被覆層を被覆することにより、振動の吸収性を高めることができると共に、構造の強度を高めることができるという利点がある。
【００１６】
本発明のゴルフクラブヘッドの構造によれば、ヘッドの連接部に小径部を形成させ、小径部は重心の需要性に応じてネックに向かって延伸する長さを調整することができることにより、ヘッドの上半部の重量を減らし、さらにヘッドの重心を下へ移動させることができるため、重心の調整の自由度を増やすことができるという利点がある。
【００１７】
本発明のゴルフクラブヘッドの構造によれば、ヘッドの連接部にホールを形成させ、ホールの規格を調整することにより、ヘッドの上半部が占める重量を調整し、さらにヘッドの重心を下へ移動させることができるため、ヘッドの慣性モーメントと打球の性能を高めることができるという利点がある。
【発明を実施するための最良の形態】
【００１８】
本発明の実施の形態について、以下、図面を参照して説明する。
【００１９】
図１は本発明の実施例１のゴルフクラブヘッドの構造による分解斜視図で、図２は本発明の実施例１のゴルフクラブヘッドの構造による組み立てられた状態の正面図で、図３は本発明の実施例２のゴルフクラブヘッドの構造が被覆層を被覆していない状態の正面図で、図４は本発明の実施例２のゴルフクラブヘッドの構造による組み立てられた状態の正面図で、図５は本発明の実施例３のゴルフクラブヘッドの構造が被覆層を被覆していない状態の正面図で、図６は本発明の実施例３のゴルフクラブヘッドの構造による組み立てられた状態の正面図で、図７は本発明の実施例４のゴルフクラブヘッドの構造による組み立てられた状態の正面図で、図８は本発明の実施例５のゴルフクラブヘッドの構造による組み立てられた状態の正面図で、図９は本発明の実施例６のゴルフクラブヘッドの構造による組み立てられた状態の正面図で、図１０は本発明の実施例７のゴルフクラブヘッドの構造による組み立てられた状態の正面図である。
【実施例１】
【００２０】
図１、２を参照すると、本発明の実施例１のゴルフクラブヘッドの構造のヘッド１は金属、合金材質により製成され、ヘッド１にはヘッド本体１０、フェース板１１、連接部１２、ネック１３とホール１２１が含まれる。ヘッド本体１０の正面にはフェース板結合部１０１が形成され、フェース板結合部１０１によりフェース板１１が例えば嵌設、圧合、ろう付け、溶接、螺設、一体成形などの方式によりヘッド本体１０に結合されることができる。フェース板１１は打球するのに用いられることができる。連接部１２はフェース板１１とネック１３の間に連接される。ホール１２１は連接部１２に設けられ、さらにホール１２１は例えばスルーホールまたはブラインドホールの形式を選択することができる。例えばブラインドホールに形成された時、ホール１２１の開口部をヘッド１の正面または背面に設けることができる。ホール１２１により連接部１２の上、下半部が占める重量を均一に減らすことができるため、ヘッド１の重心１４はネック１３に対してヘッド１のトウ部へ移動（すなわち、連接部１２に対して外へ移動）するように形成されると共に、ヘッド１の慣性モーメントを相対的に増やすことができることにより、ヘッド１の打球の性能（打球飛距離）を有効に高めることができる。また、ネック１３には結合孔１３１が形成され、結合孔１３１によりシャフト（図示せず）と結合することができる。さらに、連接部１２とネック１３は使用上の需要性に応じて例えば精密鋳造、鋳造、機械加工、圧力鋳造、鍛造、射出成形などの方式により一体成形になるようにヘッド本体１０の片側に成形することができ、または分段接合の方式によりヘッド本体１０に結合することができる。
【実施例２】
【００２１】
図３、４を参照すると、本発明の実施例２のゴルフクラブヘッドの構造が掲示される。実施例１と比較して、実施例２の連接部１２にはさらに小径部１２２が形成され、小径部１２２は被覆層２０が被覆するのに用いられる。被覆層２０は適当な軽質材料により組成され、上記軽質材料は好ましくはカーボン、樹脂、ゴム、高分子化合材料または軽質合金（例えばチタン合金、アルミ合金）から選ぶことができ、さらにホットプレスまたは射出成形などの方式により小径部１２２に被覆させ、さらにホール１２１に充填させることができる。被覆層２０により連接部１２の構造の強度に影響を及ぼさない状態で連接部１２の重量をさらに減らすことができると同時に、被覆層２０によりヘッド１の連接部１２の抵抗値を相対的に高めることができる。これにより、フェース板１１の打球応力に影響を及ぼさない状態で被覆層２０により打球時に生じた振動を吸収することができるため、打球時の安定性を高めることができると共に、握り心地もよくなる。
【実施例３】
【００２２】
図５、６を参照すると、本発明の実施例３のゴルフクラブヘッドの構造が掲示される。実施例２と比較して、実施例３の連接部１２の小径部１２２はさらにネック１３に向かって延伸するように形成されることにより、小径部１２２の区域がさらに拡大される。これにより、ヘッド１の重心１４をトウ部へ移動させるだけではなく、ヘッド１の上半部が占める重量を減らすことができることにより、重心１４をさらに下へ移動させることができるため、小径部１２２によりシャフトの慣性モーメントをさらに延長することができる。また、通常として、小径部１２２は製品の使用上の需要性に応じて延伸する長さを調整することができ、さらに連接部１２の小径部１２２は最大としてネック１３の末端まで延伸することができる。これにより、本発明において製造時におけるヘッド１の重心の調整自由度を増やすことができる。さらに、被覆層２０も同様に延伸された小径部１２２に被覆される。
【実施例４】
【００２３】
図７を参照すると、本発明の実施例４のゴルフクラブヘッドの構造が掲示される。実施例３と比較して、実施例４の連接部１２の小径部１２２がネック１３の末端まで延伸された時、ネック１３の小径部１２２の表面にはさらに複数個の突出部１３２が突き出るように設けられる。突出部１３２の断面は環状、円形、長条形などの各種の幾何形状に形成されることができる。これにより、被覆を行って被覆層２０が形成された時、突出部１３２により小径部１２２と被覆層２０との結合の安定性と信頼性を増やすことができる。
【実施例５】
【００２４】
図８を参照すると、本発明の実施例５のゴルフクラブヘッドの構造が掲示される。実施例３と比較して、実施例５の連接部１２の小径部１２２がネック１３の末端まで延伸された時、ネック１３の小径部１２２の表面にはさらに複数個の凹欠部１３３が凹むように設けられる。凹欠部１３３の断面は環状、円形、長条形などの各種の幾何形状に形成されることができる。これにより、被覆を行って被覆層２０が形成された時、凹欠部１３３により小径部１２２と被覆層２０との結合の安定性と信頼性を増やすことができる。
【実施例６】
【００２５】
図９を参照すると、本発明の実施例６のゴルフクラブヘッドの構造が掲示される。実施例３と比較して、実施例６のネック１３の上端にはさらに半径方向で外へ延伸して環状フランジ１３４が形成される。これにより、シャフトと結合する時、環状フランジ１３４により結合孔１３１とシャフトとの結合の安定性と信頼性を増やすことができる。
【実施例７】
【００２６】
図１０を参照すると、本発明の実施例７のゴルフクラブヘッドの構造が掲示される。実施例１、２、３、４、５、６と比較して、実施例７の連接部１２のホール１２１は上が広く下が狭いような段々と収縮した形状に形成されることができる。ホール１２１によりヘッド本体１０の重心１４をトウ部へ移動させることができると共に、ヘッド１の上半部の重量を相対的に減らすことができ、さらにヘッド１の重心１４を下へ移動させることができるため、ヘッド１の慣性モーメントを増やし、さらに打球の性能（打球飛距離）を高めることができる。
【産業上の利用可能性】
【００２７】
上述の如く、従来のゴルフクラブヘッドの構造によれば、ヘッド１の構造の強度に影響を及ぼさない状態でヘッドの重心の位置を有効に外へ調整することができないという問題点があったが、本発明のゴルフクラブヘッドの構造によれば、連接部にホールと小径部を形成させ、そして小径部に被覆層を被覆させることにより、ヘッドの慣性モーメント、打球の性能、振動の吸収性、構造の強度および重心の調整の自由度をさらに増やすことができる。
【００２８】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２９】
【図１】本発明の実施例１のゴルフクラブヘッドの構造による分解斜視図である。
【図２】本発明の実施例１のゴルフクラブヘッドの構造による組み立てられた状態の正面図である。
【図３】本発明の実施例２のゴルフクラブヘッドの構造が被覆層を被覆していない状態の正面図である。
【図４】本発明の実施例２のゴルフクラブヘッドの構造による組み立てられた状態の正面図である。
【図５】本発明の実施例３のゴルフクラブヘッドの構造が被覆層を被覆していない状態の正面図である。
【図６】本発明の実施例３のゴルフクラブヘッドの構造による組み立てられた状態の正面図である。
【図７】本発明の実施例４のゴルフクラブヘッドの構造による組み立てられた状態の正面図である。
【図８】本発明の実施例５のゴルフクラブヘッドの構造による組み立てられた状態の正面図である。
【図９】本発明の実施例６のゴルフクラブヘッドの構造による組み立てられた状態の正面図である。
【図１０】本発明の実施例７のゴルフクラブヘッドの構造による組み立てられた状態の正面図である。
【図１１】従来のゴルフクラブヘッドの構造による正面図である。
【図１２】従来のもう一つのゴルフクラブヘッドの構造による正面図である。
【符号の説明】
【００３０】
１    ヘッド                          １０    ヘッド本体
１１    フェース板                    １０１    フェース板結合部
１２    連接部                        １２０    凹欠部
１２１    ホール                        １２２    小径部
１３    ネック                        １３１    結合孔
１３２    突出部                        １３３    凹欠部
１３４    環状フランジ                    １４    重心
２０    被覆層
【図１】
2005103162.tif 000003
【図２】
2005103162.tif 000004
【図３】
2005103162.tif 000005
【図４】
2005103162.tif 000006
【図５】
2005103162.tif 000007
【図６】
2005103162.tif 000008
【図７】
2005103162.tif 000009
【図８】
2005103162.tif 000010
【図９】
2005103162.tif 000011
【図１０】
2005103162.tif 000012
【図１１】
2005103162.tif 000013
【図１２】
2005103162.tif 000014